(57)【要約】【課題】遊技機の売買情報をリアルタイムに登録・配信し、閲覧・配信可能な情報の登録に応じ遊技機販売会社に対する課金をして仲介手数料をなくした遊技機売買情報の仲介システムの提供。【解決手段】遊技機販売会社に関するデータを記憶する販売会社情報記憶手段と、情報受信者に関するデータを記憶する受信者情報記憶手段と、端末装置からのアクセスを認証する認証手段と、販売会社から売買情報を登録する売買情報登録手段と、登録された販売会社情報および売買情報を、通信手段を介して情報受信者が備える端末装置から閲覧可能に表示させる情報表示手段と、売買情報を情報受信者に対し配信する売買情報配信手段と、販売会社情報および売買情報の登録期間を含む掲載条件に従い、遊技機販売会社に対する課金情報を管理する課金情報記憶手段とを備える。【選択図】　図１
2004129963.tif 000002
【特許請求の範囲】
【請求項１】
入力手段、制御手段、表示手段、出力手段、記憶手段等を備えるコンピュータ等の端末装置からインターネットに代表される通信手段を介してアクセス可能に備えられ、データ処理を行うサーバーシステムであって、
遊技機販売会社に関するデータを記憶する販売会社情報記憶手段と、
販売会社が登録するデータを受信する情報受信者に関するデータを記憶する受信者情報記憶手段と、
通信手段を介した端末装置からのアクセスを認証する認証手段と、
販売会社が備える端末装置から売買情報を登録する売買情報登録手段と、
登録された販売会社情報および売買情報を、通信手段を介して情報受信者が備える端末装置から閲覧可能に表示させる情報表示手段と、
登録された売買情報を情報受信者に対し配信する売買情報配信手段と、
販売会社情報および売買情報の登録期間を含む掲載条件に従い、遊技機販売会社に対する課金情報を管理する課金情報記憶手段とを備え、
前記の売買情報の配信は、配信を行う売買情報配信手段の種類ごとに定める所定期間ごとに行われ、閲覧・配信可能な情報の登録に応じ遊技機販売会社に対する課金処理が行われることを特徴とする、遊技機売買情報の仲介システム。
【請求項２】
請求項１に記載の発明において、
前記の売買情報登録手段は、所定の入力フォーマットに基づくデータ形式で販売会社が備える端末装置において入力され、通信手段を介して前記の売買情報記憶手段に記憶されることを特徴とする、遊技機売買情報の仲介システム。
【請求項３】
請求項１に記載の発明において、
前記の売買情報登録手段は、所定の入力フォーマットに基づく情報登録用紙を用いて販売会社が備えるファクシミリ装置から送信され、通信手段を介して前記の売買情報記憶手段に記憶されることを特徴とする、遊技機売買情報の仲介システム。
【請求項４】
請求項３に記載の発明において、
前記のサーバーシステムにはさらに、受信したファクシミリの所定のフォーマットに従い、画像データの所定の領域ごとにデータの読み取り処理と変換処理を行い、文字データに変換して前記の売買情報記憶手段に記憶する、ファクシミリデータ読み取り手段が備えられたことを特徴とする、遊技機売買情報の仲介システム。
【請求項５】
請求項１〜４に記載の発明において、
前記の売買情報記憶手段に記憶される売買情報は、通信手段を介して表示、またはダウンロード、または配信が可能なデータ形式により記憶されることを特徴とする、遊技機売買情報の仲介システム。
【請求項６】
請求項１〜５に記載の発明において、
前記の売買情報配信手段は、受信者情報記憶手段に記憶された情報受信者の売買情報配信宛先を参照し、配信宛先が電子メールアドレスであると判定した場合には、所定の入力フォーマットに基づくデータ形式で、通信手段を介して前記の電子メールアドレス宛に配信されることを特徴とする、遊技機売買情報の仲介システム。
【請求項７】
請求項１〜５に記載の発明において、
前記の売買情報配信手段は、受信者情報記憶手段に記憶された情報受信者の売買情報配信宛先を参照し、配信宛先がファクシミリ番号であると判定した場合には、所定の入力フォーマットに基づくデータ形式で、通信手段を介して前記のファクシミリ番号宛に配信されることを特徴とする、遊技機売買情報の仲介システム。
【請求項８】
請求項１〜７に記載の発明において、
前記のサーバーシステムには、各種の遊技機を識別する遊技機ＩＤなどの識別情報と、これに関連付けられた遊技機のメーカー名、型番、機種名、価格、仕様、商品画像、商品動画像、カタログ、その他の遊技機に関するデータを記憶する遊技機情報記憶手段が備えられ、
前記の売買情報記憶手段に記憶される売買情報には、遊技機を識別する識別情報が含まれており、
前記の情報表示手段により表示される売買情報、または前記の売買情報配信手段により配信される売買情報の内の少なくともいずれかには、遊戯情報記憶手段に記憶されるデータの一部または全部、またはデータへのハイパーリンクが挿入されることを特徴とする、遊技機売買情報の仲介システム。
【請求項９】
請求項８に記載の発明において、
前記の遊技機情報記憶手段に記憶されるデータには、動画像ＣＭが含まれることを特徴とする、遊技機売買情報の仲介システム。
【請求項１０】
請求項１〜９に記載の発明において、
前記のサーバーシステムには、遊技機の売買に伴い、情報受信者の地域ごとに必要とされる検定証その他の必要書類データフォーマットを記憶する必要書類記憶手段が備えられ、販売会社または情報受信者が備える端末装置からダウンロード可能にされていることを特徴とする、遊技機売買情報の仲介システム。
【請求項１１】
請求項１０に記載の発明において、
必要書類データフォーマットのダウンロードの際に、販売会社または情報受信者の地域を判定して、判定された地域に合致する必要書類がダウンロードされることを特徴とする、遊技機売買情報の仲介システム。
【請求項１２】
請求項１〜１１に記載の発明において、
前記のサーバーシステムは、その構成の内の前記の各手段の一部または全部が分散されて、複数の地域に通信手段を介して接続されて備えられたことを特徴とする、遊技機売買情報の仲介システム。
【請求項１３】
請求項１２に記載の発明において、
少なくとも販売会社情報および売買情報の登録期間を含む掲載条件に従い、遊技機販売会社に対する課金情報を管理する課金情報記憶手段が、各地域のフランチャイジーが管理するサーバーシステムとして複数の地域に分散されて備えられ、各地域のフランチャイジーが管理するサーバーシステムのデータ処理を統括するフランチャイザーが管理するサーバーシステムが少なくとも一つ備えられ、
フランチャイザーが管理するサーバーシステムにおいて、課金情報を分配して演算する演算手段によりフランチャイザーとフランチャイジーとの間における課金金額分配処理が行われることを特徴とする、遊技機売買情報の仲介システム。
【発明の詳細な説明】
【０００１】
【発明の属する技術分野】
本発明は、遊技機売買情報システムに関する。
【０００２】
【従来の技術】
従来より、パチンコ機などの遊技機は、パチンコホール・遊技場などで新台の入れ替えなどが行われている。このため、新規機種のほか、中古機種なども流通される機会が多く、流通・売買の情報が得られる場が必要とされている。
【０００３】
【発明が解決しようとする課題】
たとえば、このような中古機を流通させるために、従来は売買を仲介する仲介業者が、遊技機を持ち販売したい会社と、購入をしたい会社との情報を仲介していた。最近ではインターネット等の普及により、販売会社と仲介業者との間、仲介業者と購入者との間で電子メールなどにより情報を交換することも見られるが、電子メールの確認や仲介業者の事務処理、担当者の不在などによりタイムラグが生じている。
また、これまでの流通形態では仲介業者が介在するために、仲介手数料が売買代金に加算されていたために、売買には費用が余分にかかっていた。
【０００４】
このような分野の従来の技術としては、特開２００２−７６２５「中古遊技機管理システム」において、インターネットインフラを活用して回線コストの削減と使い勝手の改善を図った中古遊技機管理システムが提案されているが、この出願は前記の問題を解決するものではない。
サーバマシンが遊技機の基板の識別情報（基板ＩＤ）と基板に実装された遊技用演算チップの識別情報（チップＩＤ）とを記憶していることにより、パチンコ機の設置者が機種の正当性を判別するものであり、遊技機の売買にタイムラグをなくし、さらに費用を削減することには対応していない。
【０００５】
そこで本発明においては、上記の様々な課題を解決し、売買したい中古遊技機や、その販売会社等の情報をタイムリーに入手可能にし、ウェブサイトでの情報の閲覧のほか、たとえば出張や営業などの外出先であっても携帯電話やコンピュータ装置を利用した電子メールなどにより情報配信が行われ、さらに直接取引で販売会社間で行われる無駄な流通をなくし、中間マージンのカット、および円滑な仕入れ・販売活動の支援を行うことのできる情報を提供することを目的とする。
携帯電話やファクシミリなどからの売買情報の登録と、携帯電話やファクシミリなどへの売買情報の配信を可能にし、オフィスや外出先でもタイムリーに売買情報を入手することが可能なシステムを提供することを目的とする。
さらに本発明においては、遊技機の売買に伴い、情報受信者の地域ごとに必要とされる検定証その他の、必要かつ適切な必要書類や、動画像その他の遊技機に付随するデータなどを入手可能なシステムを提供することを目的とする。
さらに本発明のシステムをフランチャイズ展開し、フランチャイザーとフランチャイジーとの間における課金金額の分配処理が可能なシステムを提供することを目的とする。
【０００６】
【課題を解決するための手段】
上記課題を解決するため、請求項１に記載の発明においては、
入力手段、制御手段、表示手段、出力手段、記憶手段等を備えるコンピュータ等の端末装置からインターネットに代表される通信手段を介してアクセス可能に備えられ、データ処理を行うサーバーシステムであって、
遊技機販売会社に関するデータを記憶する販売会社情報記憶手段と、
販売会社が登録するデータを受信する情報受信者に関するデータを記憶する受信者情報記憶手段と、
通信手段を介した端末装置からのアクセスを認証する認証手段と、
販売会社が備える端末装置から売買情報を登録する売買情報登録手段と、
登録された販売会社情報および売買情報を、通信手段を介して情報受信者が備える端末装置から閲覧可能に表示させる情報表示手段と、
登録された売買情報を情報受信者に対し配信する売買情報配信手段と、
販売会社情報および売買情報の登録期間を含む掲載条件に従い、遊技機販売会社に対する課金情報を管理する課金情報記憶手段とを備え、
前記の売買情報の配信は、配信を行う売買情報配信手段の種類ごとに定める所定期間ごとに行われ、閲覧・配信可能な情報の登録に応じ遊技機販売会社に対する課金処理が行われる、遊技機売買情報の仲介システムであることを特徴としている。
【０００７】
また、上記課題を解決するため、請求項２に記載の発明においては、
請求項１に記載の発明において、
前記の売買情報登録手段は、所定の入力フォーマットに基づくデータ形式で販売会社が備える端末装置において入力され、通信手段を介して前記の売買情報記憶手段に記憶される、遊技機売買情報の仲介システムであることを特徴としている。
【０００８】
また、上記課題を解決するため、請求項３に記載の発明においては、
請求項１に記載の発明において、
前記の売買情報登録手段は、所定の入力フォーマットに基づく情報登録用紙を用いて販売会社が備えるファクシミリ装置から送信され、通信手段を介して前記の売買情報記憶手段に記憶される、遊技機売買情報の仲介システムであることを特徴としている。
【０００９】
また、上記課題を解決するため、請求項４に記載の発明においては、
請求項３に記載の発明において、
前記のサーバーシステムにはさらに、受信したファクシミリの所定のフォーマットに従い、画像データの所定の領域ごとにデータの読み取り処理と変換処理を行い、文字データに変換して前記の売買情報記憶手段に記憶する、ファクシミリデータ読み取り手段が備えられた、遊技機売買情報の仲介システムであることを特徴としている。
【００１０】
また、上記課題を解決するため、請求項５に記載の発明においては、
請求項１〜４に記載の発明において、
前記の売買情報記憶手段に記憶される売買情報は、通信手段を介して表示、またはダウンロード、または配信が可能なデータ形式により記憶される、遊技機売買情報の仲介システムであることを特徴としている。
【００１１】
また、上記課題を解決するため、請求項６に記載の発明においては、
請求項１〜５に記載の発明において、
前記の売買情報配信手段は、受信者情報記憶手段に記憶された情報受信者の売買情報配信宛先を参照し、配信宛先が電子メールアドレスであると判定した場合には、所定の入力フォーマットに基づくデータ形式で、通信手段を介して前記の電子メールアドレス宛に配信される、遊技機売買情報の仲介システムであることを特徴としている。
【００１２】
また、上記課題を解決するため、請求項７に記載の発明においては、
請求項１〜５に記載の発明において、
前記の売買情報配信手段は、受信者情報記憶手段に記憶された情報受信者の売買情報配信宛先を参照し、配信宛先がファクシミリ番号であると判定した場合には、所定の入力フォーマットに基づくデータ形式で、通信手段を介して前記のファクシミリ番号宛に配信される、遊技機売買情報の仲介システムであることを特徴としている。
【００１３】
また、上記課題を解決するため、請求項８に記載の発明においては、
請求項１〜７に記載の発明において、
前記のサーバーシステムには、各種の遊技機を識別する遊技機ＩＤなどの識別情報と、これに関連付けられた遊技機のメーカー名、型番、機種名、価格、仕様、商品画像、商品動画像、カタログ、その他の遊技機に関するデータを記憶する遊技機情報記憶手段が備えられ、
前記の売買情報記憶手段に記憶される売買情報には、遊技機を識別する識別情報が含まれており、
前記の情報表示手段により表示される売買情報、または前記の売買情報配信手段により配信される売買情報の内の少なくともいずれかには、遊戯情報記憶手段に記憶されるデータの一部または全部、またはデータへのハイパーリンクが挿入される、遊技機売買情報の仲介システムであることを特徴としている。
【００１４】
また、上記課題を解決するため、請求項９に記載の発明においては、
請求項８に記載の発明において、
前記の遊技機情報記憶手段に記憶されるデータには、動画像ＣＭが含まれる、遊技機売買情報の仲介システムであることを特徴としている。
【００１５】
また、上記課題を解決するため、請求項１０に記載の発明においては、
請求項１〜９に記載の発明において、
前記のサーバーシステムには、遊技機の売買に伴い、情報受信者の地域ごとに必要とされる検定証その他の必要書類データフォーマットを記憶する必要書類記憶手段が備えられ、販売会社または情報受信者が備える端末装置からダウンロード可能にされている、遊技機売買情報の仲介システムであることを特徴としている。
【００１６】
また、上記課題を解決するため、請求項１１に記載の発明においては、
請求項１０に記載の発明において、
必要書類データフォーマットのダウンロードの際に、販売会社または情報受信者の地域を判定して、判定された地域に合致する必要書類がダウンロードされる、遊技機売買情報の仲介システムであることを特徴としている。
【００１７】
また、上記課題を解決するため、請求項１２に記載の発明においては、
請求項１〜１１に記載の発明において、
前記のサーバーシステムは、その構成の内の前記の各手段の一部または全部が分散されて、複数の地域に通信手段を介して接続されて備えられた、遊技機売買情報の仲介システムであることを特徴としている。
【００１８】
また、上記課題を解決するため、請求項１３に記載の発明においては、
請求項１２に記載の発明において、
少なくとも販売会社情報および売買情報の登録期間を含む掲載条件に従い、遊技機販売会社に対する課金情報を管理する課金情報記憶手段が、各地域のフランチャイジーが管理するサーバーシステムとして複数の地域に分散されて備えられ、各地域のフランチャイジーが管理するサーバーシステムのデータ処理を統括するフランチャイザーが管理するサーバーシステムが少なくとも一つ備えられ、
フランチャイザーが管理するサーバーシステムにおいて、課金情報を分配して演算する演算手段によりフランチャイザーとフランチャイジーとの間における課金金額分配処理が行われる、遊技機売買情報の仲介システムであることを特徴としている。
【００１９】
【発明の実施の形態】
以下、本発明の実施の形態について図面を参照して説明する。
本発明のシステムは、入力手段、制御手段、表示手段、出力手段、記憶手段等を備えるコンピュータ等の端末装置からインターネットに代表される通信手段を介してアクセス可能に備えられ、データ処理を行うサーバーシステムである。
図１は、本発明の基本的な構成の一例を示すシステム構成図である。
【００２０】
本発明のサーバーシステムに接続するための販売会社等が備えるユーザー端末、および情報の閲覧や配信を受ける情報受信者が備えるユーザー端末としては、通常、パーソナルコンピュータやワークステーションなどのコンピュータ端末が用いられる。この他、利用者端末には、インターネット等に接続可能なブラウザ機能を搭載した携帯電話をはじめとする無線通信端末、携帯情報端末や、インターネットＴＶ、ゲーム機器、テレビ会議システム、その他のネットワーク接続機能を備えた家電製品などの機器を広く含む。
コンピュータ端末は、制御手段、記憶手段、入力手段、出力手段、表示手段などを備える。またインターネットに代表されるコンピュータネットワークに接続詞、データの送受信を行う機能を備え、ブラウザや電子メールソフトウェア、ワードプロセッサなどのアプリケーションプログラムや、オペレーティングシステム（ＯＳ）を備えることが通常の形態である。
【００２１】
サーバーシステムは、インターネットに代表されるネットワークに接続されて備えられ、コンピュータネットワークに接続する一般事業者端末からアクセスされる。ネットワークには、インターネットをはじめとして、専用線により接続されたネットワーク形態や、企業内ＬＡＮ、企業間ＬＡＮ、ＷＡＮなどの形態を広く含む。またここで用いられる通信回線の形態には、有線通信、無線通信の形態を広く含み、衛星通信や、Ｂｌｕｅｔｏｏｔｈなどを用いた形態を含む。
【００２２】
次に、本発明のサーバーシステムは、通常は、アプリケーションサーバー、データベースサーバー、認証サーバー、ＷＥＢサーバー、その他必要に応じメールサーバー、その他の各種装置により構成することができる。
これらの各サーバーは、物理的に同一の装置に設けられる形態や、物理的に複数の装置からなる形態、あるいはネットワークを介して接続される物理的に複数の装置からなる形態などを含み、機能的に同様の機能が実現されるならば、様々な形態を含む。
【００２３】
本発明のシステムは、顧客端末からアクセスするためのコンテンツデータ及びプログラムを記憶するＷＥＢサーバーを備えている。
コンテンツデータには、ＨＴＭＬファイル、ＸＭＬファイルなどのＷＥＢ上に表示されるデータファイルや、Ｃ−ＨＴＭＬファイルなどのＷＥＢサイトにアクセス可能な携帯電話等に表示されるデータファイルなどが含まれる。
また、これらのファイルに挿入されるなどして表示又は出力される、文字データファイル、音声データファイル、画像データファイル、動画像データファイル、アニメーションデータファイル，その他の様々なコンテンツデータを記憶することができる。
【００２４】
コンテンツデータファイルは、遊技機販売会社の、遊技機販売会社による遊技機販売会社のためのウェブサイトを構成し、本発明のシステムを利用して、売買したい中古遊技機や、その販売会社等の情報をタイムリーに入手可能にする。ウェブサイトでの情報の閲覧のほか、たとえば出張や営業などの外出先であっても携帯電話やコンピュータ装置を利用した電子メールなどにより情報配信が行われ、さらに直接取引で販売会社間で行われる無駄な流通をなくし、中間マージンのカット、および円滑な仕入れ・販売活動の支援を行うことのできる情報を提供することができる。
また、パーソナルコンピュータなどのコンピュータで閲覧可能なウェブサイトと、携帯電話などの携帯通信機器で閲覧可能なウェブサイトとを設けることが望ましい。
さらに、販売会社以外にも、一般家庭用機器販売会社、パチンコ・遊技機ホール、メーカー、ユーザーなどが利用可能なコンテンツデータを備え、検索や各種の情報提供などを行うことができる。
以下、サーバーシステムの構成について図１を参照して説明する。
【００２５】
サーバーシステムは、遊技機販売会社に関するデータを記憶する販売会社情報記憶手段を備えている。
販売会社情報記憶手段は、遊技機の販売を行う販売会社に関する会社名、住所、電話番号、ファクシミリ番号、電子メールアドレス、ホームページアドレス、事業内容などのデータを登録し記憶する。
これらのデータは、販売会社等が備えるユーザー端末からサーバーシステムにアクセスしてデータ登録・データ変更をすることができる。ユーザー端末からデータ登録を可能にするためにはユーザー登録を行い、ユーザーＩＤやパスワードなどの認証情報の発行を受け、これら認証情報がさらに販売会社情報記憶手段に記憶される。
図２は、販売会社情報を入力し送信する入力フォームの一例を示す。
販売会社情報記憶手段に記憶された販売会社に関するデータは、サーバーシステムが提供するウェブサイト等において、アクセスした情報受信者が閲覧したり検索をしたりすることが可能な状態で記憶される。
図３および図４は、検索し表示される販売会社情報の一例を示す。
また本発明のサーバーシステムにおいて販売会社ごとのウェブページを開設可能にすることが望ましい。
【００２６】
またサーバーシステムは、販売会社が登録するデータを受信する情報受信者に関するデータを記憶する受信者情報記憶手段を備えている。
受信者情報記憶手段は、データの配信を受ける受信者に関するデータを記憶する。
受信者情報記憶手段に記憶されるデータは、データの配信を可能にするためのものであり、少なくともデータ配信先情報、具体的には電子メールアドレス、ファクシミリ番号等が記憶される。さらに、ユーザー名、所属会社名や店名、連絡先、その他のデータが記憶されることが望ましく、ユーザー登録をして配信先、配信条件などを登録・変更可能にするためにはユーザーＩＤやパスワードなどの認証情報を発行してユーザー認証処理を行うことが望ましい。
図５は、受信者情報を入力し送信する入力フォームの一例を示す。
【００２７】
またサーバーシステムは、通信手段を介した端末装置からのアクセスを認証する認証手段を備えている。
ユーザー認証には様々な認証方法を利用することができるが、代表的な方式としては、ユーザー端末からユーザー登録を行い、コンテンツ配信を受けるためのユーザーＩＤやパスワードなどが発行される形態が一般的には用いられる。
ユーザー登録される情報としては、氏名、住所、電話番号、決済方法に関する情報、電子メールアドレスなどの情報をサーバーシステムにおいて記憶する。
【００２８】
次にサーバーシステムは、販売会社が備える端末装置から売買情報を登録する売買情報登録手段を備えている。
売買情報登録手段は、好ましい代表的な形態の一例としては、所定の入力フォーマットに基づくデータ形式で販売会社が備える端末装置において入力され、通信手段を介して前記の売買情報記憶手段に記憶されるものである。すなわちウェブサイトに表示される、所定の入力フォーマットのデータ項目をユーザー端末において入力しサーバーシステムに送信する入力フォームを含むウェブページなどである。
入力する所定のデータ項目は、機種名、メーカー名、販売価格、その他のデータである。売買情報の価格の公表を任意とし、価格は「応相談」のようにすることもできる。
入力フォームは、携帯電話などの携帯情報端末において表示され、入力・送信が可能なものを設けることも好ましい。
図６は、売買情報を入力し送信する入力フォームの一例を示す。
登録された各販売会社情報および遊技機の売買情報は、毎日更新されることが望ましく、販売会社のユーザー端末から送信され記憶されたデータは自動的に最新のデータに更新されるようにすることができる。
【００２９】
また、売買情報登録手段の別の好ましい代表的な形態の一例は、所定の入力フォーマットに基づくデータ項目を入力した電子メールによる送信形式を採用し、通信手段を介して前記の売買情報記憶手段に記憶されるものである。
さらに、売買情報登録手段の別の好ましい代表的な形態の一例は、所定の入力フォーマットに基づくデータ項目を音声入力により送信し、サーバーシステムにおいて受信した音声データを文字データに変換することにより前記の売買情報記憶手段に記憶されるものである。
【００３０】
また、売買情報登録手段の別の好ましい代表的な形態の一例は、所定の入力フォーマットに基づく情報登録用紙を用いて販売会社が備えるファクシミリ装置から送信され、通信手段を介して前記の売買情報記憶手段に記憶されるものである。受信するサーバーシステム側においては、通常のプリントアウト出力されるファクシミリ以外にも、コンピュータ装置にファクシミリ送受信プログラムを備えることにより、受信したファクシミリデータを自動的に画像データとして受信し記憶することが好ましい。
この場合には、サーバーシステムにはさらに、受信したファクシミリの所定のフォーマットに従い、画像データの所定の領域ごとにデータの読み取り処理と変換処理を行い、文字データに変換して前記の売買情報記憶手段に記憶する、ファクシミリデータ読み取り手段が備えられることが好ましい。すなわちＯＣＲなどの読み取りプログラムを備えることにより、ファクシミリ送受信プログラムが受信して画像データとして記憶するデータの中から、所定のデータ項目を読み取り文字データに変換して記憶するものである。読み取りと文字データへの処理を正確にするためには、ファクシミリで送受信する所定のフォーマット（用紙など）に、データ項目の読み取り位置を示すマーク、識別符号、枠などを印字しておくことが望ましい。
【００３１】
売買情報記憶手段に記憶される売買情報は、通信手段を介して表示、またはダウンロード、または配信が可能なデータ形式により記憶される。
通信手段を介して表示可能なデータ形式はＨＴＭＬファイル、ＸＭＬファイル、Ｃ−ＨＴＭＬファイル、その他のデータ形式である。売買情報は、データベースに文字データ、画像データ、その他のデータ形式で格納されており、データ検索などの結果データベース（売買情報記憶手段）からデータを抽出し、検索・抽出結果を前記のＨＴＭＬファイルその他のウェブ上に表示可能なファイルとして生成することが好ましい。
またダウンロード可能なデータ形式は、上記の各種データ形式や、テキストファイルｃｓｖファイル、表形式ファイル、データベースファイル、ＰＤＦファイル、その他の各種データ形式を採用することができ、特に限定されない。
また配信されるデータ形式は、テキストデータやＨＴＭＬファイルなどの電子メール配信形式や、上記の各種ファイルを添付ファイルなどとして配信するデータ形式、あるいはファクシミリで送信するデータ形式などを採用することができる。
【００３２】
次にサーバーシステムは、登録された販売会社情報および売買情報を、通信手段を介して情報受信者が備える端末装置から閲覧可能に表示させる情報表示手段を備えている。
情報表示手段は、サーバーシステムにアクセスしたユーザー端末の表示手段（画面）に各種コンテンツデータを表示させるものであり、通常想定される代表的な形態はコンテンツデータファイルと、ユーザー端末からの閲覧要求に応答してコンテンツデータを送信し表示させるプログラムとを備えたウェブサーバーにより実現されるものである。
【００３３】
次にサーバーシステムの好ましい形態の一例としては、各種の遊技機を識別する遊技機ＩＤなどの識別情報と、これに関連付けられた遊技機のメーカー名、型番、機種名、価格、仕様、商品画像、商品動画像、カタログ、その他の遊技機に関するデータを記憶する遊技機情報記憶手段が備えられる。
前記の売買情報記憶手段に記憶される売買情報には、遊技機を識別する識別情報が含まれている。
販売会社が前記の売買情報登録手段により掲載する売買情報に関連して、機種やメーカーなどのデータ、その他の遊技機に関するデータを送信しなくても、メーカーＩＤ、遊技機ＩＤ（機種ＩＤ）などを指定することにより、あらかじめ遊技機情報記憶手段に記憶されているメーカーや遊技機に関するデータが関連付けられて、ユーザー端末に表示可能にされる。このため、画像データなどを送信するのが困難な携帯電話などからの売買情報の登録、ファクシミリなどからの売買情報の登録などをした場合にも、あらかじめ遊技機情報記憶手段に記憶されているデータが表示可能にされる。
情報表示手段により情報受信者のユーザー端末に表示される売買情報、または前記の売買情報配信手段により配信される売買情報の内の少なくともいずれかには、遊戯情報記憶手段に記憶されるデータの一部または全部、またはデータへのハイパーリンクが挿入される。
【００３４】
遊技機情報記憶手段に記憶されるデータには、動画像ＣＭを含むこともできる。たとえば、パチンコ機の機種ごとの仕様などを表示する動画像データや、メーカーのＣＭ、販売会社のＣＭ、パチンコホール等のＣＭ（情報受信者のＣＭを含む）、その他の動画像データを記憶しておくこともできる。
さらに、遊技機情報記憶手段には、静止画像データ、その他のデータを記憶することができる。たとえば広告・店内用ポスター・ＰＯＰなどに利用可能な画像データ、機種のキャラクター画像その他のデータなどを記憶しておき、ダウンロード等の利用を可能にすることもできる。
またＣＭや画像などのユーザー端末において表示・再生可能なコンテンツデータの登録に際しては、後述する課金情報記憶手段において管理される課金情報に反映させてもよい。有料でＣＭなどの表示を可能にする形態である。
【００３５】
情報表示手段、具体的にはウェブサーバーが備えるプログラムには、検索エンジンが含まれることが望ましい。
全国の販売会社の検索エンジンとして利用することができ、機種名や、メーカー名、地域、その他の検索条件により販売会社や売買情報の検索を可能にする。
【００３６】
次にサーバーシステムは、登録された売買情報を情報受信者に対し配信する売買情報配信手段を備えている。
売買情報配信手段は、受信者情報記憶手段に記憶された情報受信者の売買情報配信宛先を参照し、配信宛先が電子メールアドレスであると判定した場合には、所定の入力フォーマットに基づくデータ形式で、通信手段を介して前記の電子メールアドレス宛に配信される。
また、売買情報配信手段は、受信者情報記憶手段に記憶された情報受信者の売買情報配信宛先を参照し、配信宛先がファクシミリ番号であると判定した場合には、所定の入力フォーマットに基づくデータ形式で、通信手段を介して前記のファクシミリ番号宛に配信される。
図７および図８は、配信される売買情報の一例を示す。
【００３７】
売買情報の配信は、配信を行う売買情報配信手段の種類ごとに定める所定期間ごとに行われる。
たとえば、売買情報をファクシミリ配信の場合にはたとえば毎週１回、携帯電話を利用した電子メールの場合にはたとえば毎日１回のようにあらかじめ設定しておくことができる。
また別の方法としては、情報受信者であるユーザーが、毎週１回情報を受信したい、毎日情報を受信したい、新規情報登録・情報更新があり次第情報を受信したいといった配信される期間を設定して登録しておくようにしてもよい。配信期間に関する条件は受信者情報記憶手段にユーザーＩＤなどと関連付けて記憶しておけばよい。これにより、オフィスでも、外出先でもタイムリーに売買情報を入手することも可能になる。売買情報の入手は無料にすれば情報受信者にとっては好ましい。一方有料として実施してもよい。
さらに、配信される情報の配信条件を設定することもできる。たとえばユーザーが希望するメーカー名、機種名、価格帯、その他の条件をあらかじめ設定して受信者情報記憶手段に記憶しておくことにより、配信条件に合った情報が登録された場合、あるいは配信条件に合った情報のみを抽出して配信されるようにすることができる。
【００３８】
次にサーバーシステムは、販売会社情報および売買情報の登録期間を含む掲載条件に従い、遊技機販売会社に対する課金情報を管理する課金情報記憶手段を備えている。閲覧・配信可能な情報の登録に応じ、遊技機販売会社に対する課金処理が行われる。
本発明のシステムにおいて、サービス利用料金は、売買情報を登録する販売会社ユーザーに対し課金されるものであり、１か月当たり料金や、年間一括払い料金などを設定し、課金金額の管理データを販売会社情報（販売会社ＩＤなど）と関連付けて課金情報記憶手段に記憶する。販売会社がユーザー登録をして情報公開・配信を可能にすることにより課金処理が行われ、情報を受信して遊技機の購入をするユーザーに対し課金がされたり、売買代金の内から仲介手数料が課金されたりすることがないために、従来の流通形式とは異なり、直接交渉によるタイムラグの回避、直接交渉による値段交渉と中間マージンの削減、直接交渉による台数調整といった効果が生じる。
【００３９】
次にサーバーシステムの好ましい形態の一例としては、遊技機の売買に伴い、情報受信者の地域ごとに必要とされる検定証その他の必要書類データフォーマットを記憶する必要書類記憶手段が備えられ、販売会社または情報受信者が備える端末装置からダウンロード可能にされている。
遊技機の設置、営業許可等に伴って必要書類を用意する必要があるが、そのための書類には営業許可・変更承認関係書類として、遊技機点検確認書、誓約書、保証書（メーカーへ基盤検査を依頼した時）、検定通知書、取扱説明書などがある。
また設置後に、　遊技機受渡書、納品確認書などが必要となる。
このため、本発明のシステムにおいて必要書類記憶手段を設け、これらの書類をダウンロード可能なＰＤＦファイルその他のデータ形式であらかじめ記憶しておくことが望ましい。さらに望ましくは、遊技機の売買情報に関連付けられて、遊技機ＩＤやメーカーＩＤなどに対応した必要書類が自動的に抽出され、必要書類データファイルへのハイパーリンクが自動的に表示されるようにすることができる。
【００４０】
さらに望ましい形態は、遊技機の購入者である情報受信者のユーザー端末（あるいは販売会社のユーザー端末）からアクセスした際に、ユーザー端末の地域を判定する地域判定手段が備えられることが望ましい。地域判定手段は、アクセスしたユーザーの認証処理においてユーザーＩＤに基づき受信者情報記憶手段（または販売会社情報記憶手段）を参照してユーザーの地域を判定する方法や、ユーザーの電話番号（ファクシミリ番号）、ＩＰアドレスなどを取得して地域判別する方法を採用することができる。
たとえば警察に提出する書類など、必要書類のフォーマットが地域により異なる場合があるが、地域を判定することにより、必要書類データフォーマットのダウンロードの際に、判定された販売会社または情報受信者の地域に合致する必要書類を自動的に抽出し、ダウンロードされるようにすることができる。
【００４１】
次に本発明のシステムの別の応用形態について説明する。
前記のサーバーシステムは、その構成の内の前記の各手段の一部または全部が分散されて、複数の地域に通信手段を介して接続されて備えられた、遊技機売買情報の仲介システムである。
図９は、本実施形態の基本的なシステム構成の一例を示すシステム構成図である。
【００４２】
少なくとも販売会社情報および売買情報の登録期間を含む掲載条件に従い、遊技機販売会社に対する課金情報を管理する課金情報記憶手段が、各地域のフランチャイジーが管理するサーバーシステムとして複数の地域に分散されて備えられる。
各地域のフランチャイジーが管理するサーバーシステムのデータ処理を統括するフランチャイザーが管理するサーバーシステムが少なくとも一つ備えられている。
フランチャイザーが管理するサーバーシステムにおいて、課金情報を分配して演算する演算手段によりフランチャイザーとフランチャイジーとの間における課金金額分配処理が行われる。
【００４３】
以下、本発明の基本的な処理の流れについて説明する。
図１０から図１４は、本発明の基本的な処理の流れの一例を示すフローチャートである。なお、ここに示す処理の流れは一例であって、これに限定されるものではなく、様々な応用や変形が可能である。
初めに図１０を参照して、販売会社情報の登録処理について説明する。
ユーザー端末（販売会社）からインターネットに接続し（Ｓ１００）、サーバーシステムにアクセスする（Ｓ１０１）。ユーザー登録処理を選択し（Ｓ１０２）、販売会社情報入力フォームが表示される（Ｓ１０３）。
ユーザー端末において販売会社情報を入力し、サーバーシステムに送信する（Ｓ１０４）。販売会社情報は、販売会社情報記憶手段に記憶される（Ｓ１０５）。また毎月支払い、一括支払などの課金・支払方法を入力・選択し送信する（Ｓ１０６）。送信されたデータは課金情報記憶手段に記憶される（Ｓ１０７）。
以上によりユーザー登録処理が済むと、ユーザーＩＤなどの認証情報を発行し、販売会社情報記憶手段に記憶するとともにユーザー端末に送信する（Ｓ１０８）。
【００４４】
次に図１１を参照して、売買情報の登録処理について説明する。
ユーザー端末（販売会社）からインターネットに接続し（Ｓ２００）、サーバーシステムにアクセスする（Ｓ２０１）。売買情報登録処理を選択し（Ｓ２０２）、売買情報入力フォームが表示される（Ｓ２０３）。
ユーザー端末において売買情報を入力し送信して（Ｓ２０４）、サーバーシステムにおいて受信した売買情報を売買情報記憶手段に記憶する（Ｓ２０５）。
またファクシミリで売買情報を登録する場合には、ユーザー端末（ファクシミリ装置）から所定のフォーマットにより売買情報を送信し（Ｓ２５０）、サーバーシステムにおいて受信され（Ｓ２５２）、受信した売買情報データを記憶する（Ｓ２５３）。受信した画像データを読み取り（Ｓ２５４）、文字データに変換することが望ましく（Ｓ２５５）、変換されたデータを売買情報記憶手段に記憶する（Ｓ２０５）。
また、遊技機情報記憶手段に記憶されている遊技機データ、動画像データ等があれば関連付けて記憶することにより（Ｓ２０６）、これらのデータが閲覧可能にされる。さらに必要書類手段に記憶されている必要書類データがあれば関連付けて記憶することにより（Ｓ２０７）、これらのデータが関連付けられて表示されるようになる。前記の通り、必要書類データのダウンロード等をする際には、情報受信者の地域判定をすれば適合する必要書類が判定されてダウンロード等されるようにすることができる。
ウェブサイトでの閲覧・電子メール等での配信が可能なデータ形式で記憶され（Ｓ２０８）、売買情報の登録が完了する。
【００４５】
次に図１２を参照して、情報受信者の登録と、配信条件や配信日時などを選択・指定できる場合にはこれらを設定する処理について説明する。
ユーザー端末（情報受信者）からインターネットに接続し（Ｓ３００）、サーバーシステムにアクセスする（Ｓ３０１）。受信者情報登録処理を選択し（Ｓ３０２）、受信者情報入力フォームがユーザー端末に表示される（Ｓ３０３）。
ユーザー端末において受信者情報を入力し送信して（Ｓ３０４）、送信されたデータがサーバーシステムにおいて受信者情報記憶手段に記憶される（Ｓ３０５）。
配信されるデータの抽出設定を指定できる場合には、希望する機種、メーカー、価格帯等を入力し（Ｓ３０６）、また配信日時等の指定には配信日時、配信方法などを入力し（Ｓ３０７）、サーバーシステムに送信する（Ｓ３０８）。
受信者情報記憶手段に記憶されている受信者情報に関連付けて記憶される（Ｓ３０９）。
【００４６】
次に図１３を参照して、売買情報の配信処理について説明する。
売買情報配信手段が受信者情報記憶手段を参照し（Ｓ４００）、配信日時になると（Ｓ４０１）、受信者情報記憶手段に記憶されている配信方法を抽出し（Ｓ４０２）、また受信者情報記憶手段に記憶されている配信条件を抽出する（Ｓ４０２）。
売買情報記憶手段に記憶されているデータを配信条件に従い抽出し（Ｓ４０３）、配信方法に従い配信するデータファイルを生成する（Ｓ４０４）。
配信方法が電子メールであれば電子メールによりデータを配信し（Ｓ４０５）、配信方法がファクシミリであればファクシミリによりデータを配信する（Ｓ４０６）。
【００４７】
次に図１４は、フランチャイザーとフランチャイジーとの間での課金金額の分配処理を示す。
本発明のシステムにおいては、情報を掲載し配信してもらう販売会社が掲載・配信の対価として課金されている。
フランチャイザーのサーバーシステムにおいて、フランチャイジーシステムの課金情報記憶手段に記憶されているデータを取得しうて（Ｓ５００）、フランチャイジーとの契約条件を参照することにより（Ｓ５０１）、演算手段が、フランチャイジーから販売会社に対する課金金額の内の、フランチャイザーへの分配金額を算出することができる（Ｓ５０２）。フランチャイザーが分配を受ける分配金額を記憶する（Ｓ５０３）。他のフランチャイジーがある場合にはさらに同様に演算を行い（Ｓ５０４）、これらの金額を加算・集計する。
【００４８】
【発明の効果】
以上詳細に説明したように、本発明によれば、売買したい中古遊技機や、その販売会社等の情報をタイムリーに入手可能にし、ウェブサイトでの情報の閲覧のほか、たとえば出張や営業などの外出先であっても携帯電話やコンピュータ装置を利用した電子メールなどにより情報配信が行われ、さらに直接取引で販売会社間で行われる無駄な流通をなくし、中間マージンのカット、および円滑な仕入れ・販売活動の支援を行うことのできる情報を提供することができる。
さらに本発明によれば、携帯電話やファクシミリなどからの売買情報の登録と、携帯電話やファクシミリなどへの売買情報の配信を可能にし、オフィスや外出先でもタイムリーに売買情報を入手することが可能なシステムを提供することができる。
さらに本発明によれば、遊技機の売買に伴い、情報受信者の地域ごとに必要とされる検定証その他の、必要かつ適切な必要書類や、動画像その他の遊技機に付随するデータなどを入手可能なシステムを提供することができる。
さらに本発明のシステムをフランチャイズ展開し、フランチャイザーとフランチャイジーとの間における課金金額の分配処理が可能なシステムを提供することができる。
【図面の簡単な説明】
【図１】本発明のシステムの基本的な構成の一例を示すシステム構成図である。
【図２】販売会社情報を入力し送信する入力フォームの一例を示す図である。
【図３】検索し表示される販売会社情報の一例を示す図である。
【図４】検索し表示される販売会社情報の一例を示す図である。
【図５】受信者情報を入力し送信する入力フォームの一例を示す図である。
【図６】売買情報を入力し送信する入力フォームの一例を示す図である。
【図７】配信される売買情報の一例を示す図である。
【図８】配信される売買情報の一例を示す図である。
【図９】本実施形態の基本的なシステム構成の一例を示すシステム構成図である。
【図１０】本発明の基本的な処理の流れの一例を示すフローチャートである。
【図１１】本発明の基本的な処理の流れの一例を示すフローチャートである。
【図１２】本発明の基本的な処理の流れの一例を示すフローチャートである。
【図１３】本発明の基本的な処理の流れの一例を示すフローチャートである。
【図１４】本発明の基本的な処理の流れの一例を示すフローチャートである。
【図１】
2004129963.tif 000003
【図２】
2004129963.tif 000004
【図３】
2004129963.tif 000005
【図４】
2004129963.tif 000006
【図５】
2004129963.tif 000007
【図６】
2004129963.tif 000008
【図７】
2004129963.tif 000009
【図８】
2004129963.tif 000010
【図９】
2004129963.tif 000011
【図１０】
2004129963.tif 000012
【図１１】
2004129963.tif 000013
【図１２】
2004129963.tif 000014
【図１３】
2004129963.tif 000015
【図１４】
2004129963.tif 000016